【手続補正書】
【提出日】平成18年4月21日(2006.4.21)
【手続補正１】
【補正対象書類名】明細書
【補正対象項目名】特許請求の範囲
【補正方法】変更
【補正の内容】
【特許請求の範囲】
【請求項１】  ビデオ符号化ストリームを復号するビデオ復号手段と、
前記ビデオ復号手段により復号した復号データを格納する出力バッファと、
前記出力バッファに格納された復号データを最終ビデオ出力信号に変換するビデオ出力手段と、
前記ビデオ復号手段での復号をスキップするスキップ復号フィールド数をカウントする復号カウント手段と、
前記ビデオ復号手段での復号、あるいはそのスキップを制御する多段復号制御手段と、
前記多段復号制御手段での前記ビデオ復号手段への制御、及び前記ビデオ出力手段での最終ビデオ出力信号への変換を制御するビデオ表示制御手段と、
前記ビデオ出力手段及び前記ビデオ表示制御手段に、ビデオ同期信号を与える同期信号発生手段と、を備え、
前記復号カウント手段は、前記ビデオ符号化ストリームの再生倍速と、復号する１フレーム画像の有するフィールド数とをもとに、前記スキップ復号フィールド数を設定し、新たなフレームが入力される毎に、該設定されたスキップ復号フィールド数をカウントダウンするものであり、
前記ビデオ復号手段は、１フレーム分の前記ビデオ符号化ストリームを復号した後に、前記復号カウント手段が前記設定されたスキップ復号フィールド数がゼロまでカウントダウンされるまで、参照されないピクチャの符号化ストリームの復号をスキップするものであり、
前記ビデオ出力手段は、前記復号された１フレーム分の復号データが予測に参照されない場合には、該１フレーム分の復号データを前記ビデオ同期信号に同期して出力し、該１フレーム分の復号データが予測に参照される場合には、該１フレーム分の復号データの直前に復号された予測に参照される復号データを、前記ビデオ同期信号に同期して出力するものである、
ことを特徴とする画像信号再生装置。
【請求項２】  請求項１記載の画像信号再生装置において、
前記出力バッファは、３フレーム分の復号データを格納するものとし、
前記ビデオ復号手段は、１フレーム分の出力バッファを用いて、上記１フレーム分のビデオ符号化ストリームの復号を１回行い、他の２フレーム分の出力バッファを用いて、表示はされないが参照はされるピクチャの符号化ストリームを復号して該２フレーム分の出力バッファの内容を該復号データで順次上書きし、表示も参照もされないピクチャの符号化ストリームをスキップする、ことをＫ−１回（ＫはＫ≧１なる整数）実行することで、Ｋ倍速再生を行なう、
ことを特徴とする画像信号再生装置。
【請求項３】  ビデオ符号化ストリームを復号するビデオ復号手段と、
前記ビデオ復号手段により復号した復号データを格納する出力バッファと、
前記出力バッファに格納された復号データを最終ビデオ出力信号に変換するビデオ出力手段と、
前記ビデオ復号手段での復号をスキップするスキップ復号フィールド数をカウントする復号カウント手段と、
前記ビデオ復号手段での復号、あるいはそのスキップを制御する多段復号制御手段と、
前記ビデオ出力手段での画像を表示する表示フィールド数をカウントする表示カウント手段と、
前記多段復号制御手段での前記ビデオ復号手段への制御、及び前記ビデオ出力手段での最終ビデオ出力信号への変換を制御するビデオ表示制御手段と、
前記ビデオ出力手段及び前記ビデオ表示制御手段に、ビデオ同期信号を与える同期信号発生手段と、を備え、
前記表示カウント手段は、前記ビデオ符号化ストリームの再生倍速と、表示する１フレーム画像の有するフィールド数とをもとに、前記表示フィールド数を設定し、前記ビデオ出力手段で画像が出力される毎に、該設定された表示フィールド数をカウントダウンするものであり、
前記復号カウント手段は、前記ビデオ符号化ストリームの再生倍速と、復号する１フレーム画像の有するフィールド数とをもとに、前記表示フィールド数に応じて前記スキップ復号フィールド数の切替設定を行ない、新たなフレームが入力される毎に、該切替設定されたスキップ復号フィールド数をカウントダウンするものであり、
前記ビデオ復号手段は、１フレーム分の前記ビデオ符号化ストリームを復号した後に、前記復号カウント手段が前記切替設定されたスキップ復号フィールド数がゼロまでカウントダウンされるまで、参照されないピクチャの符号化ストリームの復号をスキップするものであり、
前記ビデオ出力手段は、前記復号された１フレーム分の復号データが予測に参照されない場合には、該１フレーム分の復号データを前記ビデオ同期信号に同期して出力し、該１フレーム分の復号データが予測に参照される場合には、該１フレーム分の復号データの直前に復号された予測に参照される復号データを、前記ビデオ同期信号に同期して出力するものである、
ことを特徴とする画像信号再生装置。
【請求項４】  請求項３記載の画像信号再生装置において、
前記出力バッファは、３フレーム分の復号データを格納するものとし、
前記ビデオ復号手段は、１フレーム分の出力バッファを用いて、上記１フレーム分のビデオ符号化ストリームの復号を１回行い、他の２フレーム分の出力バッファを用いて、表示はされないが参照はされるピクチャの符号化ストリームを復号して該２フレーム分の出力バッファの内容を該復号データで順次上書きし、表示も参照もされないピクチャの符号化ストリームをスキップすることをＬ−２回（ＬはＬ≧２なる整数）実行してＬ−１倍速再生とすることと、Ｌ−１回実行してＬ倍速再生とすることとを適宜に切り替えさせることにより、Ｐ倍速（Ｌ−１＜Ｐ＜Ｌ）再生を行なう、
ことを特徴とする画像信号再生装置。
【請求項５】  請求項４記載の画像信号再生装置において、
前記ビデオ表示制御手段は、Ｌ−１倍速再生の実行と、Ｌ倍速再生の実行とが、比率ｐ：（１−ｐ）（０＜ｐ＜１）で行われるように制御して、前記ビデオ符号化ストリームの再生速度をＬ−ｐ倍速に設定する、
ことを特徴とする画像信号再生装置。
【請求項６】  請求項４記載の画像信号再生装置において、
前記表示カウント手段は、１＜ａ／ｂ＜２となる関係を持つ整数ａと整数ｂとの組合せを用いたデジタル微分化解析法により、Ｌ−１倍速再生とＬ倍速再生とを切り替える間隔を求め、
前記ビデオ表示制御手段は、前記ビデオ符号化ストリームの再生速度をＬ−２＋ａ／ｂ倍速に設定する、
ことを特徴とする画像信号再生装置。
【請求項７】  請求項５または請求項６記載の画像信号再生装置において、
前記ビデオ表示制御手段は、前記ビデオ符号化ストリームの再生速度を１２００／１００１倍速に設定し、
前記同期信号発生手段は、ＰＡＬ同期信号を出力して、
該ビデオ符号化ストリームのフレームレートをＮＴＳＣ方式からＰＡＬ方式へ変換する、
ことを特徴とする画像信号再生装置。
【請求項８】  ビデオ符号化ストリームをビデオ同期信号に同期して復号し、該復号して得られる復号データを最終ビデオ信号に変換し、前記最終ビデオ信号を前記ビデオ同期信号に同期して出力する画像信号再生方法であって、
前記ビデオ符号化ストリームの再生倍速と、復号する１フレーム画像の有するフィールド数とをもとに、前記ビデオ符号化ストリームの復号をスキップするスキップ復号フィールド数を設定する工程と、
１フレーム分の前記ビデオ符号化ストリームを復号した後に、新たなフレームが入力される毎に前記設定したスキップ復号フィールド数をゼロまでカウントダウンしながら、参照されないピクチャの符号化ストリームの復号をスキップする工程と、
前記復号した復号データを出力バッファに格納する工程と、
前記１フレーム分の復号の開始とともに、復号された該１フレーム分の復号データが予測に参照されない場合には、該１フレーム分の復号データを最終ビデオ出力信号に変換して前記ビデオ同期信号に同期して出力し、該１フレーム分の復号データが予測に参照される場合には、該１フレーム分の復号データの直前に復号された予測に参照される復号データを最終ビデオ出力信号に変換して前記ビデオ同期信号に同期して出力する工程と、を有する、
ことを特徴とする画像信号再生方法。
【請求項９】  請求項８記載の画像信号再生方法において、
前記出力バッファは、３フレーム分の復号データを格納するものとし、
前記ビデオ符号化ストリームの復号をスキップする工程では、１フレーム分の出力バッファを用いて、上記１フレーム分のビデオ符号化ストリームの復号を１回行い、他の２フレーム分の出力バッファを用いて、表示はされないが参照はされるピクチャの符号化ストリームを復号して該２フレーム分の出力バッファの内容を該復号データで順次上書きし、表示も参照もされないピクチャの符号化ストリームをスキップする、ことをＫ−１回（ＫはＫ≧１なる整数）実行することで、Ｋ倍速再生を行なう、
ことを特徴とする画像信号再生方法。
【請求項１０】  ビデオ符号化ストリームをビデオ同期信号に同期して復号し、該復号して得られる復号データを最終ビデオ信号に変換し、前記最終ビデオ信号を前記ビデオ同期信号に同期して出力する画像信号再生方法であって、
前記ビデオ符号化ストリームの再生倍速と、表示する１フレーム画像の有するフィールド数とをもとに、表示する画像の表示フィールド数を設定する工程と、
前記ビデオ符号化ストリームの再生倍速と、復号する１フレーム画像の有するフィールド数とをもとに、前記設定された表示フィールド数に応じて前記ビデオ符号化ストリームの復号をスキップするスキップ復号フィールド数の切替設定を行なう工程と、
１フレーム分の前記ビデオ復号化ストリームを復号した後に、新たなフレームが入力される毎に前記切替設定されたスキップ復号フィールド数をゼロまでカウントダウンしながら、参照されないピクチャの符号化ストリームの復号をスキップする工程と、
前記復号した復号データを出力バッファに格納する工程と、
前記１フレーム分の復号データが予測に参照されない場合には、該１フレーム分の復号データを最終ビデオ出力信号に変換して前記ビデオ同期信号に同期して出力し、該１フレーム分の復号データが予測に参照される場合には、該１フレーム分の復号データの直前に復号された予測に参照される復号データを最終ビデオ出力信号に変換して前記ビデオ同期信号に同期して出力する工程と、を有する、
ことを特徴とする画像信号再生方法。
【請求項１１】  請求項１０記載の画像信号再生方法において、
前記出力バッファは、３フレーム分の復号データを格納するものとし、
前記ビデオ符号化ストリームの復号をスキップする工程では、１フレーム分の出力バッファを用いて、上記１フレーム分のビデオ符号化ストリームの復号を１回行い、他の２フレーム分の出力バッファを用いて、表示はされないが参照はされるピクチャの符号化ストリームを復号して該２フレーム分の出力バッファの内容を該復号データで順次上書きし、表示も参照もされないピクチャの符号化ストリームをスキップすることをＬ−２回（ＬはＬ≧２なる整数）実行してＬ−１倍速再生とすることと、Ｌ−１回実行してＬ倍速再生とすることとを適宜に切り替えさせることにより、Ｐ倍速（Ｌ−１＜Ｐ＜Ｌ）再生を行なう、
ことを特徴とする画像信号再生方法。
【請求項１２】  請求項１１記載の画像信号再生方法において、
前記スキップ復号フィールド数の切替設定を行なう工程は、Ｌ−１倍速再生の実行と、Ｌ倍速再生の実行とが、比率ｐ：（１−ｐ）（０＜ｐ＜１）で行われるように制御して、前記ビデオ符号化ストリームの再生速度をＬ−ｐ倍速に設定する、
ことを特徴とする画像信号再生方法。
【請求項１３】  請求項１１記載の画像信号再生方法において、
前記スキップ復号フィールド数の切替設定を行なう工程では、１＜ａ／ｂ＜２となる関係を持つ整数ａと整数ｂとの組合せを用いたデジタル微分化解析法により、Ｌ−１倍速再生とＬ倍速再生とを切り替える間隔を求め、
前記ビデオ符号化ストリームの再生速度をＬ−２＋ａ／ｂ倍速に設定する、
ことを特徴とする画像信号再生方法。
【請求項１４】  請求項１２又は請求項１３記載の画像信号再生方法において、
前記スキップ復号フィールド数の切替設定を行なう工程では、前記ビデオ符号化ストリームの再生速度を１２００／１００１倍速に設定し、
前記ビデオ同期信号としてＰＡＬ同期信号を用いて、前記ビデオ符号化ストリームのフレームレートをＮＴＳＣ方式からＰＡＬ方式へ変換する、
ことを特徴とする画像信号再生方法。
【手続補正２】
【補正対象書類名】明細書
【補正対象項目名】００１１
【補正方法】変更
【補正の内容】
【００１１】
この復号は、ビデオ表示制御回路９００７からビデオ復号回路９００１に入力されるデコード制御信号９１１２に従って行われる。復号されたデータ９１０２、９１０３又は９１０４は、第１の出力バッファ９００２、第２の出力バッファ９００３又は第３の出力バッファ９００４に各々出力される。ビデオ復号回路９００１は、ビデオ符号化ストリーム９１０１からストリーム制御信号９１１１を抜き出してビデオ表示制御回路９００７に出力する。
【手続補正３】
【補正対象書類名】明細書
【補正対象項目名】００１２
【補正方法】変更
【補正の内容】
【００１２】
第１の出力バッファ９００２は、ビデオ復号回路９００１から出力された復号データ９１０２を格納し、復号データ９１０５としてビデオ復号回路９００１又はビデオ出力回路９００５に出力する。この第１の出力バッファ９００２に格納される復号データ９１０２はＩピクチャ又はＰピクチャである。
【手続補正４】
【補正対象書類名】明細書
【補正対象項目名】００１３
【補正方法】変更
【補正の内容】
【００１３】
同様に、第２の出力バッファ９００３は、ビデオ復号回路９００１からの復号データ９１０３を格納し、復号データ９１０６としてビデオ復号回路９００１又はビデオ出力回路９００５に出力する。この第２の出力バッファ９００３に格納される復号データ９１０３も、Ｉピクチャ又はＰピクチャである。
【手続補正５】
【補正対象書類名】明細書
【補正対象項目名】００１４
【補正方法】変更
【補正の内容】
【００１４】
一方、第３の出力バッファ９００４は、ビデオ復号回路９００１からの復号データ９１０４を格納し、復号データ９１０７としてビデオ復号回路９００１又はビデオ出力回路９００５に出力するが、この第３の出力バッファ９００４に格納される復号データ９１０４はＢピクチャのみである。
【手続補正６】
【補正対象書類名】明細書
【補正対象項目名】００１５
【補正方法】変更
【補正の内容】
【００１５】
また、図９において、同期信号発生回路９００６は、ＮＴＳＣ同期信号又はＰＡＬ同期信号９１０９を出力する。ビデオ表示制御回路９００７は、ビデオ復号回路９００１から受けたストリーム制御信号９１１１と、同期信号発生回路９００６から受ける同期信号９１０９とに基づいて、ビデオ復号回路９００１へデコード制御信号９１１２を出力すると共に、ビデオ出力回路９００５に表示制御信号９１１０を出力する。
【手続補正７】
【補正対象書類名】明細書
【補正対象項目名】００１６
【補正方法】変更
【補正の内容】
【００１６】
ビデオ出力回路９００５は、ビデオ表示制御回路９００７から受けた表示制御信号９１１０に従って、第１の出力バッファ９００２、第２の出力バッファ９００３又は第３の出力バッファ９００４からの復号データ９１０５、９１０６又は９１０７の何れかを選択して、ビデオ出力信号９１０８として出力することを繰り返す。
【手続補正８】
【補正対象書類名】明細書
【補正対象項目名】００１７
【補正方法】変更
【補正の内容】
【００１７】
図１０は、ビデオ表示制御回路９００７の制御を説明するフローチャートである。以下、上記従来の画像信号再生装置のデータ処理手順を、図９及び図１０の制御フローチャートに基づいて説明する。
【手続補正９】
【補正対象書類名】明細書
【補正対象項目名】００２８
【補正方法】変更
【補正の内容】
【００２８】
すなわち、本発明の請求項１記載の画像信号再生装置は、ビデオ符号化ストリームを復号するビデオ復号手段と、前記ビデオ復号手段により復号した復号データを格納する出力バッファと、前記出力バッファに格納された復号データを最終ビデオ出力信号に変換するビデオ出力手段と、前記ビデオ復号手段での復号をスキップするスキップ復号フィールド数をカウントする復号カウント手段と、前記ビデオ復号手段での復号、あるいはそのスキップを制御する多段復号制御手段と、前記多段復号制御手段での前記ビデオ復号手段への制御、及び前記ビデオ出力手段での最終ビデオ出力信号への変換を制御するビデオ表示制御手段と、前記ビデオ出力手段及び前記ビデオ表示制御手段に、ビデオ同期信号を与える同期信号発生手段と、を備え、前記復号カウント手段は、前記ビデオ符号化ストリームの再生倍速と、復号する１フレーム画像の有するフィールド数とをもとに、前記スキップ復号フィールド数を設定し、新たなフレームが入力される毎に、該設定されたスキップ復号フィールド数をカウントダウンするものであり、前記ビデオ復号手段は、１フレーム分の前記ビデオ符号化ストリームを復号した後に、前記復号カウント手段が前記設定されたスキップ復号フィールド数がゼロまでカウントダウンされるまで、参照されないピクチャの符号化ストリームの復号をスキップするものであり、前記ビデオ出力手段は、前記復号された１フレーム分の復号データが予測に参照されない場合には、該１フレーム分の復号データを前記ビデオ同期信号に同期して出力し、該１フレーム分の復号データが予測に参照される場合には、該１フレーム分の復号データの直前に復号された予測に参照される復号データを、前記ビデオ同期信号に同期して出力するものであることを特徴とするものである。
【手続補正１０】
【補正対象書類名】明細書
【補正対象項目名】００３０
【補正方法】変更
【補正の内容】
【００３０】
本発明の請求項３記載の画像信号再生装置は、ビデオ符号化ストリームを復号するビデオ復号手段と、前記ビデオ復号手段により復号した復号データを格納する出力バッファと、前記出力バッファに格納された復号データを最終ビデオ出力信号に変換するビデオ出力手段と、前記ビデオ復号手段での復号をスキップするスキップ復号フィールド数をカウントする復号カウント手段と、前記ビデオ復号手段での復号、あるいはそのスキップを制御する多段復号制御手段と、前記ビデオ出力手段での画像を表示する表示フィールド数をカウントする表示カウント手段と、前記多段復号制御手段での前記ビデオ復号手段への制御、及び前記ビデオ出力手段での最終ビデオ出力信号への変換を制御するビデオ表示制御手段と、前記ビデオ出力手段及び前記ビデオ表示制御手段に、ビデオ同期信号を与える同期信号発生手段と、を備え、前記表示カウント手段は、前記ビデオ符号化ストリームの再生倍速と、表示する１フレーム画像の有するフィールド数とをもとに、前記表示フィールド数を設定し、前記ビデオ出力手段で画像が出力される毎に、該設定された表示フィールド数をカウントダウンするものであり、前記復号カウント手段は、前記ビデオ符号化ストリームの再生倍速と、復号する１フレーム画像の有するフィールド数とをもとに、前記表示フィールド数に応じて前記スキップ復号フィールド数の切替設定を行ない、新たなフレームが入力される毎に、該切替設定されたスキップ復号フィールド数をカウントダウンするものであり、前記ビデオ復号手段は、１フレーム分の前記ビデオ符号化ストリームを復号した後に、前記復号カウント手段が前記切替設定されたスキップ復号フィールド数がゼロまでカウントダウンされるまで、参照されないピクチャの符号化ストリームの復号をスキップするものであり、前記ビデオ出力手段は、前記復号された１フレーム分の復号データが予測に参照されない場合には、該１フレーム分の復号データを前記ビデオ同期信号に同期して出力し、該１フレーム分の復号データが予測に参照される場合には、該１フレーム分の復号データの直前に復号された予測に参照される復号データを、前記ビデオ同期信号に同期して出力するものである、ことを特徴とするものである。
【手続補正１１】
【補正対象書類名】明細書
【補正対象項目名】００３５
【補正方法】変更
【補正の内容】
【００３５】
また、本発明の請求項８記載の画像信号再生方法は、ビデオ符号化ストリームをビデオ同期信号に同期して復号し、該復号して得られる復号データを最終ビデオ信号に変換し、前記最終ビデオ信号を前記ビデオ同期信号に同期して出力する画像信号再生方法であって、前記ビデオ符号化ストリームの再生倍速と、復号する１フレーム画像の有するフィールド数とをもとに、前記ビデオ符号化ストリームの復号をスキップするスキップ復号フィールド数を設定する工程と、１フレーム分の前記ビデオ符号化ストリームを復号した後に、新たなフレームが入力される毎に前記設定したスキップ復号フィールド数をゼロまでカウントダウンしながら、参照されないピクチャの符号化ストリームの復号をスキップする工程と、前記復号した復号データを出力バッファに格納する工程と、前記１フレーム分の復号の開始とともに、復号された該１フレーム分の復号データが予測に参照されない場合には、該１フレーム分の復号データを最終ビデオ出力信号に変換して前記ビデオ同期信号に同期して出力し、該１フレーム分の復号データが予測に参照される場合には、該１フレーム分の復号データの直前に復号された予測に参照される復号データを最終ビデオ出力信号に変換して前記ビデオ同期信号に同期して出力する工程と、を有することを特徴とする方法である。
【手続補正１２】
【補正対象書類名】明細書
【補正対象項目名】００３６
【補正方法】変更
【補正の内容】
【００３６】
本発明の請求項９記載の画像信号再生方法は、請求項８記載の画像信号再生方法において、前記出力バッファは、３フレーム分の復号データを格納するものとし、前記ビデオ符号化ストリームの復号をスキップする工程では、１フレーム分の出力バッファを用いて、上記１フレーム分のビデオ符号化ストリームの復号を１回行い、他の２フレーム分の出力バッファを用いて、表示はされないが参照はされるピクチャの符号化ストリームを復号して該２フレーム分の出力バッファの内容を該復号データで順次上書きし、表示も参照もされないピクチャの符号化ストリームをスキップする、ことをＫ−１回（ＫはＫ≧１なる整数）実行することで、Ｋ倍速再生を行なうことを特徴とする方法である。
【手続補正１３】
【補正対象書類名】明細書
【補正対象項目名】００３７
【補正方法】変更
【補正の内容】
【００３７】
本発明の請求項１０記載の画像信号再生方法は、ビデオ符号化ストリームをビデオ同期信号に同期して復号し、該復号して得られる復号データを最終ビデオ信号に変換し、前記最終ビデオ信号を前記ビデオ同期信号に同期して出力する画像信号再生方法であって、前記ビデオ符号化ストリームの再生倍速と、表示する１フレーム画像の有するフィールド数とをもとに、表示する画像の表示フィールド数を設定する工程と、前記ビデオ符号化ストリームの再生倍速と、復号する１フレーム画像の有するフィールド数とをもとに、前記設定された表示フィールド数に応じて前記ビデオ符号化ストリームの復号をスキップするスキップ復号フィールド数の切替設定を行なう工程と、１フレーム分の前記ビデオ符号化ストリームを復号した後に、新たなフレームが入力される毎に前記切替設定されたスキップ復号フィールド数をゼロまでカウントダウンしながら、参照されないピクチャの符号化ストリームの復号をスキップする工程と、前記復号した復号データを出力バッファに格納する工程と、前記１フレーム分の復号データが予測に参照されない場合には、該１フレーム分の復号データを最終ビデオ出力信号に変換して前記ビデオ同期信号に同期して出力し、該１フレーム分の復号データが予測に参照される場合には、該１フレーム分の復号データの直前に復号された予測に参照される復号データを最終ビデオ出力信号に変換して前記ビデオ同期信号に同期して出力する工程と、を有することを特徴とする方法である。
【手続補正１４】
【補正対象書類名】明細書
【補正対象項目名】００３８
【補正方法】変更
【補正の内容】
【００３８】
本発明の請求項１１記載の画像信号再生方法は、請求項１０記載の画像信号再生方法において、前記出力バッファは、３フレーム分の復号データを格納するものとし、前記ビデオ符号化ストリームの復号をスキップする工程では、１フレーム分の出力バッファを用いて、上記１フレーム分のビデオ符号化ストリームの復号を１回行い、他の２フレーム分の出力バッファを用いて、表示はされないが参照はされるピクチャの符号化ストリームを復号して該２フレーム分の出力バッファの内容を該復号データで順次上書きし、表示も参照もされないピクチャの符号化ストリームをスキップすることをＬ−２回（ＬはＬ≧２なる整数）実行してＬ−１倍速再生とすることと、Ｌ−１回実行してＬ倍速再生とすることとを適宜に切り替えさせることにより、Ｐ倍速（Ｌ−１＜Ｐ＜Ｌ）再生を行なうことを特徴とする方法である。
【手続補正１５】
【補正対象書類名】明細書
【補正対象項目名】００３９
【補正方法】変更
【補正の内容】
【００３９】
本発明の請求項１２記載の画像信号再生方法は、請求項１１記載の画像信号再生方法において、前記スキップ復号フィールド数の切替設定を行なう工程は、Ｌ−１倍速再生の実行と、Ｌ倍速再生の実行とが、比率ｐ：（１−ｐ）（０＜ｐ＜１）で行われるように制御して、前記ビデオ符号化ストリームの再生速度をＬ−ｐ倍速に設定することを特徴とする方法である。
【手続補正１６】
【補正対象書類名】明細書
【補正対象項目名】００４０
【補正方法】変更
【補正の内容】
【００４０】
本発明の請求項１３記載の画像信号再生方法は、請求項１１記載の画像信号再生方法において、前記スキップ復号フィールド数の切替設定を行なう工程では、１＜ａ／ｂ＜２となる関係を持つ整数ａと整数ｂとの組合せを用いたデジタル微分化解析法により、Ｌ−１倍速再生とＬ倍速再生とを切り替える間隔を求め、前記ビデオ符号化ストリームの再生速度をＬ−２＋ａ／ｂ倍速に設定することを特徴とする方法である。
【手続補正１７】
【補正対象書類名】明細書
【補正対象項目名】００４１
【補正方法】変更
【補正の内容】
【００４１】
本発明の請求項１４記載の画像信号再生方法は、請求項１２又は請求項１３記載の画像信号再生方法において、前記スキップ復号フィールド数の切替設定を行なう工程では、前記ビデオ符号化ストリームの再生速度を１２００／１００１倍速に設定し、前記ビデオ同期信号としてＰＡＬ同期信号を用いて、前記ビデオ符号化ストリームのフレームレートをＮＴＳＣ方式からＰＡＬ方式へ変換することを特徴とする方法である。
【手続補正１８】
【補正対象書類名】明細書
【補正対象項目名】００４２
【補正方法】変更
【補正の内容】
【００４２】
【発明の実施の形態】
以下、本発明の実施の形態を図面に基づいて説明する。
（実施の形態１）
図１は、本発明の実施の形態１に係る画像信号再生装置の全体構成を示すブロック図である
図１に示すように、本実施の形態１による画像信号再生装置は、ビデオ符号化ストリームを復号するものであって、ビデオ復号回路１００１と、ビデオ表示制御回路１００７と、ビデオ出力回路１００５と、同期信号発生回路１００６と、本発明の特徴的な多段復号制御回路１００８及び復号カウント回路１００９と、出力バッファ１００２〜１００４とによって構成されている。
【手続補正１９】
【補正対象書類名】明細書
【補正対象項目名】００４３
【補正方法】変更
【補正の内容】
【００４３】
同期信号発生回路１００６は、ＮＴＳＣ方式又はＰＡＬ方式のビデオ同期信号１１０９を出力する。また、ビデオ復号回路１００１は、ビデオ符号化ストリーム１１０１を入力し、このビデオ符号化ストリーム１１０１から抜き出したストリーム制御信号１１１１を多段復号制御回路１００８に出力すると共に、入力したビデオ符号化ストリーム１１０１を復号する。この復号は、多段復号制御回路１００８から出力されるデコード制御信号１１１２に基づいて行われる。
【手続補正２０】
【補正対象書類名】明細書
【補正対象項目名】００４４
【補正方法】変更
【補正の内容】
【００４４】
ビデオ復号回路１００１で復号されたデータは、第１の出力バッファ１００２、第２の出力バッファ１００３又は第３の出力バッファ１００４へ出力される。
前記３個の出力バッファ１００２〜１００４は、ビデオ復号回路１００１から入力される復号データを格納し、この格納した復号データをビデオ復号回路１００１又はビデオ出力回路１００５に出力する。
【手続補正２１】
【補正対象書類名】明細書
【補正対象項目名】００４５
【補正方法】変更
【補正の内容】
【００４５】
ビデオ出力回路１００５は、第１の出力バッファ１００２、第２の出力バッファ１００３又は第３の出力バッファ１００４からの復号データ１１０５、１１０６又は１１０７を最終ビデオ出力信号１１０８に変換して出力する。この変換は、ビデオ表示制御回路１００７から出力される表示制御信号１１１０に従って行われる。
【手続補正２２】
【補正対象書類名】明細書
【補正対象項目名】００４６
【補正方法】変更
【補正の内容】
【００４６】
ビデオ表示制御回路１００７は、多段復号制御回路１００８からのストリーム制御信号１１１３と、同期信号発生回路１００６からのビデオ同期信号１１０９とに基づいて、多段復号制御回路１００８へのデコード制御信号１１１４と、ビデオ出力回路１００５への表示制御信号１１１０とを各々生成する。
【手続補正２３】
【補正対象書類名】明細書
【補正対象項目名】００４８
【補正方法】変更
【補正の内容】
【００４８】
多段復号制御回路１００８は、ビデオ復号回路１００１からのストリーム制御信号１１１１と、ビデオ表示制御回路１００７からのデコード制御信号１１１４と、復号カウント回路１００９からの制御信号１１１５とに基づいて、ビデオ復号回路１００１へのデコード制御信号１１１２と、ビデオ表示制御回路１００７へのストリーム制御信号１１１３と、復号カウント回路１００９への制御信号１１１６とを各々生成する。
【手続補正２４】
【補正対象書類名】明細書
【補正対象項目名】００４９
【補正方法】変更
【補正の内容】
【００４９】
以下、本実施の形態１に係る画像信号再生装置の動作について、ビデオ表示制御回路１００７、多段復号制御回路１００８及び復号カウント回路１００９の動作を中心に、図２に示す制御フローチャートに基づいて具体的に説明する。
なお、本実施の形態１では、等倍速再生時の動作を省略し、高速再生実行時の処理手順のみについて、図１２の例示した入力パターンにおいて３倍速再生を実行した場合を例として説明する。
【手続補正２５】
【補正対象書類名】明細書
【補正対象項目名】００５０
【補正方法】変更
【補正の内容】
【００５０】
図２において、ステップＳ２００１からスタートして、ステップＳ２００２では、ビデオ表示制御回路１００７において、復号開始位置になるまで待機し、復号開始位置になると、ステップＳ２００３において、表示設定を実行し、表示に使用する出力バッファの仮設定と、Ｉ２符号化データの復号処理に使用する出力バッファとを決定する。この設定処理の詳細は図４に示される。
【手続補正２６】
【補正対象書類名】明細書
【補正対象項目名】００５２
【補正方法】変更
【補正の内容】
【００５２】
その後は、ステップＳ２００５では、ビデオ表示制御回路１００７において、Ｉ２符号化データの復号処理を多段復号制御回路１００８に指示し、これを受けて多段復号制御回路１００８がビデオ復号回路１００１にＩ２符号化データの復号処理を指示し、ステップＳ２００６で１フレームの復号の終了を待つ。
【手続補正２７】
【補正対象書類名】明細書
【補正対象項目名】００５８
【補正方法】変更
【補正の内容】
【００５８】
その後は、ステップＳ２００５では、ビデオ表示制御回路１００７において、Ｐ６符号化データの復号処理を多段復号制御回路１００８に指示し、これを受けて多段復号制御回路１００８がビデオ復号回路１００１にＰ６符号化データの復号処理を指示し、ステップＳ２００６で１フレームの復号の終了を待つ。
【手続補正２８】
【補正対象書類名】明細書
【補正対象項目名】００６３
【補正方法】変更
【補正の内容】
【００６３】
その後は、ステップＳ２００５では、ビデオ表示制御回路１００７において、Ｂ５符号化データの復号処理を多段復号制御回路１００８に指示し、これを受けて多段復号制御回路１００８がビデオ復号回路１００１にＢ５符号化データの復号処理を指示し、ステップＳ２００６で１フレームの復号の終了を待つ。
【手続補正２９】
【補正対象書類名】明細書
【補正対象項目名】００９６
【補正方法】変更
【補正の内容】
【００９６】
（実施の形態２）
図６は、本発明の実施の形態２に係る画像信号再生装置の全体構成を示すブロック図である。
図６に示すように、本実施の形態２による画像信号再生装置は、ビデオ符号化ストリームを復号するものであって、ビデオ復号回路６００１と、ビデオ表示制御回路６００７と、ビデオ出力回路６００５と、同期信号発生回路６００６と、本発明の特徴的な多段復号制御回路６００８、表示カウント回路６０１０、及び復号カウント回路６００９と、によって構成されている。
【手続補正３０】
【補正対象書類名】明細書
【補正対象項目名】００９７
【補正方法】変更
【補正の内容】
【００９７】
同期信号発生回路６００６は、ＮＴＳＣ方式又はＰＡＬ方式のビデオ同期信号６１０９を出力する。
ビデオ復号回路６００１は、ビデオ符号化ストリーム６１０１を入力し、このビデオ符号化ストリーム６１０１から抜き出したストリーム制御信号６１１１を多段復号制御回路６００８に出力すると共に、入力したビデオ符号化ストリーム６１０１を復号する。この復号は、多段復号制御回路６００８から出力されるデコード制御信号６１１２に基づいて行われる。
【手続補正３１】
【補正対象書類名】明細書
【補正対象項目名】００９９
【補正方法】変更
【補正の内容】
【００９９】
３個の出力バッファ６００２〜６００４は、ビデオ復号回路６００１から入力される復号データを格納し、この格納した復号データをビデオ復号回路６００１又はビデオ出力回路６００５に出力する。
【手続補正３２】
【補正対象書類名】明細書
【補正対象項目名】０１００
【補正方法】変更
【補正の内容】
【０１００】
ビデオ出力回路６００５は、第１の出力バッファ６００２、第２の出力バッファ６００３又は第３の出力バッファ６００４からの復号データ６１０５、６１０６又は６１０７を最終ビデオ出力信号６１０８に変換して出力する。この変換は、ビデオ表示制御回路６００７から出力される表示制御信号６１１０に従って行われる。
【手続補正３３】
【補正対象書類名】明細書
【補正対象項目名】０１０１
【補正方法】変更
【補正の内容】
【０１０１】
そして、本実施の形態２の特徴的な表示カウント回路６０１０は、ビデオ表示制御回路６００７からの制御情報６１１７に基づいて、所定表示ピクチャ数間隔で符号化データの復号回数を切替するように制御情報６１１８を生成し、この制御情報６１１８をビデオ表示制御回路６００７へ出力する。なお、本実施の形態２では、復号回数は、復号倍速、又は再生倍速に相当する。
【手続補正３４】
【補正対象書類名】明細書
【補正対象項目名】０１０２
【補正方法】変更
【補正の内容】
【０１０２】
ビデオ表示制御回路６００７は、多段復号制御回路６００８からのストリーム制御信号６１１３と、同期信号発生回路６００６からのビデオ同期信号６１０９と、表示カウント回路６０１０からの制御情報６１１８とに基づいて、多段復号制御回路６００８へのデコード制御信号６１１４と、ビデオ出力回路６００５への表示制御信号６１１０と、表示カウント回路６０１０への制御情報６１１７とを各々生成する。
【手続補正３５】
【補正対象書類名】明細書
【補正対象項目名】０１０４
【補正方法】変更
【補正の内容】
【０１０４】
多段復号制御回路６００８は、ビデオ復号回路６００１からのストリーム制御信号６１１１と、ビデオ表示制御回路６００７からのデコード制御信号６１１４と、復号カウント回路６００９からの制御信号６１１５とに基づいて、ビデオ復号回路６００１へのデコード制御信号６１１２と、ビデオ表示制御回路６００７へのストリーム制御信号６１１３と、復号カウント回路６００９への制御信号６１１６とを各々生成する。
【手続補正３６】
【補正対象書類名】明細書
【補正対象項目名】０１０５
【補正方法】変更
【補正の内容】
【０１０５】
次に、本実施の形態２にかかる画像信号再生装置の動作について、ビデオ表示制御回路６００７、多段復号制御回路６００８、復号カウント回路６００９及び表示カウント回路６０１０の動作を中心に、図７に示す制御フローチャートに基づいて具体的に説明する。
なお、ここの説明では、等倍速再生ときの動作を省略し、高速再生実行時の処理手順のみに関して説明を行う。
【手続補正３７】
【補正対象書類名】明細書
【補正対象項目名】０１０８
【補正方法】変更
【補正の内容】
【０１０８】
以下、表示フィールドカウンタｃ＝４の状態から、ピクチャのスキップ制御を図１２に示した入力パターンに従って説明する。
図７のステップＳ７００４では、ビデオ表示制御回路６００７において、復号開始位置になるまで待機し、復号開始位置になると、ステップＳ７００５において、表示設定を実行し、表示に使用する出力バッファの仮設定と、Ｉ２符号化データの復号処理に使用する出力バッファとを決定する。この設定処理の詳細は図４に示される。
【手続補正３８】
【補正対象書類名】明細書
【補正対象項目名】０１１０
【補正方法】変更
【補正の内容】
【０１１０】
その後は、ステップＳ７０１２では、ビデオ表示制御回路６００７において、Ｉ２符号化データの復号処理を多段復号制御回路６００８に指示し、これを受けて多段復号制御回路６００８がビデオ復号回路６００１にＩ２符号化データの復号処理を指示し、ステップＳ７０１３で１フレームの復号の終了を待つ。
【手続補正３９】
【補正対象書類名】明細書
【補正対象項目名】０１１４
【補正方法】変更
【補正の内容】
【０１１４】
その後は、ステップＳ７００９において、復号回数ＲをＲ＝Ｌ＝３とし、ステップＳ７０１１に進み、スキップ復号フィールドカウンタｓをｓ＝２Ｒ−ｆ１＝４とする。その後は、ステップＳ７０１２では、ビデオ表示制御回路６００７において、Ｂ１符号化データの復号処理を多段復号制御回路６００８に指示し、これを受けて多段復号制御回路６００８がビデオ復号回路６００１にＢ１符号化データの復号処理を指示し、ステップＳ７０１３で１フレームの復号の終了を待つ。
【手続補正４０】
【補正対象書類名】明細書
【補正対象項目名】０１２９
【補正方法】変更
【補正の内容】
【０１２９】
このように、本実施の形態２に係る画像信号再生装置では、ビデオ復号回路と、３フレーム分の出力バッファと、多段復号制御回路と、スキップ復号フィールド数をカウントする復号カウント回路と、ビデオ表示制御回路と、ビデオ出力回路において表示するフィールド数をカウントする表示カウント回路などとを備え、ＤＤＡ法に基づいて、入力されるビデオ符号化ストリームに対して２倍速再生と３倍速再生とを切替える間隔を求めるようにしたので、２倍速再生と３倍速再生とを適時に切替えることが可能となり、画像信号を安定的な非整数倍の５／２倍速で高速再生することができた。
【手続補正４１】
【補正対象書類名】明細書
【補正対象項目名】図２
【補正方法】変更
【補正の内容】
【図２】
図１による画像信号再生装置の高速再生動作を説明するためのビデオ表示制御回路及び復号カウント回路の制御フローチャートである。
【手続補正４２】
【補正対象書類名】明細書
【補正対象項目名】図７
【補正方法】変更
【補正の内容】
【図７】
図６による画像信号再生装置の高速再生動作を説明するためのビデオ表示制御回路、表示カウント回路、及び復号カウント回路の制御フローチャートである。
【手続補正４３】
【補正対象書類名】明細書
【補正対象項目名】符号の説明
【補正方法】変更
【補正の内容】
【符号の説明】
１００１、６００１、９００１ ビデオ復号回路（ビデオ復号手段）
１００２、６００２、９００２ 第１の出力バッファ
１００３、６００３、９００３ 第２の出力バッファ
１００４、６００４、９００４ 第３の出力バッファ
１００５、６００５、９００５ ビデオ出力回路（ビデオ出力手段）
１００６、６００６、９００６ 同期信号発生回路（同期信号発生手段）
１００７、６００７、９００７ ビデオ表示制御回路（ビデオ表示制御手段）
１００８、６００８ 多段復号制御回路（多段復号制御手段）
１００９、６００９ 復号カウント回路（復号カウント手段）
１１０１、６１０１、９１０１ ビデオ符号化ストリーム
１１０２〜１１０７、６１０２〜６１０７、９１０２〜９１０７ 復号データ
１１０８、６１０８、９１０８ 最終ビデオ出力信号
１１０９、６１０９、９１０９ ビデオ同期信号
６０１０ 表示カウント回路（表示カウント手段）
【手続補正４４】
【補正対象書類名】図面
【補正対象項目名】図１
【補正方法】変更
【補正の内容】
【図１】
2004242008.tif 000001
【手続補正４５】
【補正対象書類名】図面
【補正対象項目名】図６
【補正方法】変更
【補正の内容】
【図６】
2004242008.tif 000002
【手続補正４６】
【補正対象書類名】図面
【補正対象項目名】図９
【補正方法】変更
【補正の内容】
【図９】
2004242008.tif 000003